(57)【要約】【課題】  本発明の目的とするところは、遠距離及び近距離からは身体のボリューム情報を獲得し、超近接距離からは血流情報を獲得することができる身体情報検知装置及びその身体情報検知方法を提供することにある。【解決手段】  身体情報検知装置及びその身体情報検知方法が提供される。身体情報検知装置は、検知対象に光信号を発光する発光素子と、検知対象から反射される反射光信号を検出するための受光素子と、検知対象から反射される反射光信号を検出するためのイメージセンサと、検知対象と発光素子との間の距離に応じて、受光素子及びイメージセンサのうち少なくとも１つを選択的に駆動させて反射光信号を獲得し、反射光信号を用いて検知対象のボリューム情報及び検知対象を判断する制御部とを含む。【選択図】      図８
2015157074.tif 000002
【特許請求の範囲】
【請求項１】
身体情報検知装置において、
検知対象に光信号を発光する発光素子と、
前記検知対象から反射される反射光信号を検出するための受光素子と、
前記検知対象から反射される反射光信号を検出するためのイメージセンサと、
前記検知対象と前記発光素子との間の距離に応じて、前記受光素子及び前記イメージセンサのうち少なくとも１つを選択的に駆動させ、前記反射光信号を用いて前記検知対象のボリューム情報及び前記検知対象の血流情報のうち少なくとも１つを判断する制御部と
を含む身体情報検知装置。
【請求項２】
前記制御部は、
前記検知対象と前記発光素子との間の距離が第１距離以内なら、前記検知対象の前記血流情報を判断し、前記検知対象と前記発光素子との間の距離が前記第１距離を超過すると、前記検知対象の前記ボリューム情報を判断することを特徴とする請求項１に記載の身体情報検知装置。
【請求項３】
前記制御部は、
前記検知対象と前記発光素子との間の距離が前記第１距離以内なら、前記受光素子を用いて前記血流情報を判断し、
前記検知対象と前記発光素子との間の距離が前記第１距離を超過すると、前記受光素子及び前記イメージセンサのうちの１つを用いて前記ボリューム情報を判断することを特徴とする請求項２に記載の身体情報検知装置。
【請求項４】
前記制御部は、
前記検知対象と前記発光素子との間の距離が前記第１距離を超過して且つ第２距離以内なら、前記受光素子を用いて前記検知対象の一部領域に対するボリューム情報を判断し、
前記検知対象と前記発光素子との間の距離が前記第１距離及び前記第２距離を両方超過すると、前記イメージセンサを用いて前記検知対象の全体に対するボリューム情報を判断することを特徴とする請求項３に記載の身体情報検知装置。
【請求項５】
前記制御部は、
前記イメージセンサを活性化させて前記反射光信号の飽和度を判断し、前記飽和度の大きさに応じて、前記受光素子及び前記イメージセンサのうち少なくとも１つを選択的に駆動させ、
前記飽和度は、前記検知対象と前記発光素子との間の距離に応じて異なることを特徴とする請求項１ないし４のいずれか一項に記載の身体情報検知装置。
【請求項６】
前記発光素子、前記受光素子及び前記イメージセンサは、１つのセンサモジュールで集積され、
前記イメージセンサは、前記センサモジュールの中央に配置され、前記発光素子は、前記イメージセンサの周辺領域に複数個で配置され、前記受光素子は、前記発光素子と対をなすように配置されることを特徴とする請求項５に記載の身体情報検知装置。
【請求項７】
前記センサモジュールをカバーして前記光信号及び前記反射光信号を透過させる透明ディスプレイを更に含み、
前記制御部は、
前記検知された血流情報及びボリューム情報のうち少なくとも１つをディスプレイするように前記透明ディスプレイを制御することを特徴とする請求項６に記載の身体情報検知装置。
【請求項８】
前記血流情報は、心拍数情報及び動脈硬化情報を含み、
前記ボリューム情報は、前記検知対象の身体イメージ、体重情報、身体周り情報、ＢＭＩ値のうち少なくとも１つを含み、
前記制御部は、
前記心拍数情報、動脈硬化情報、前記検知対象の身体イメージ、体重情報、身体周り情報、ＢＭＩ値のうち少なくとも１つを前記透明ディスプレイにディスプレイするように制御することを特徴とする請求項７に記載の身体情報検知装置。
【請求項９】
前記制御部は、
前記ユーザの手が前記透明ディスプレイにタッチされた場合、前記検知対象と前記発光素子との距離が第１距離以内と判断し、前記身体の血流情報を判断することを特徴とする請求項７に記載の身体情報検知装置。
【請求項１０】
外部ディスプレイ機器と通信を行う通信部を更に含み、
前記制御部は、
前記検知されたボリューム情報及び血流情報のうちの１つを外部のディスプレイ機器に伝送するように前記通信部を制御することを特徴とする請求項１に記載の身体情報検知装置。
【請求項１１】
身体情報検知方法において、
検知対象と前記検知対象に光信号を発光する発光素子と間の距離を判断するステップと、
前記検知対象と前記発光素子との間の距離に応じて、前記検知対象から反射される反射光信号を検出するために、受光素子及びイメージセンサのうち少なくとも１つを選択するステップと、
前記選択された受光素子及びイメージセンサのうち少なくとも１つを用いて前記反射された反射光信号を獲得するステップと、
前記反射光信号を用いて、前記検知対象のボリューム情報または前記検知対象の血流情報を判断するステップと
を含む身体情報検知方法。
【請求項１２】
前記ボリューム情報または前記血流情報を判断するステップは、
前記検知対象と前記発光素子との間の距離が第１距離以内なら、前記検知対象の前記血流情報を判断し、前記検知対象と前記発光素子との間の距離が前記第１距離を超過すると、前記検知対象の前記ボリューム情報を判断することを特徴とする請求項１１に記載の身体情報検知方法。
【請求項１３】
前記ボリューム情報または前記血流情報を判断するステップは、
前記検知対象と前記発光素子との間の距離が第１距離以内なら、前記受光素子を用いて前記血流情報を判断し、
前記検知対象と前記発光素子との間の距離が前記第１距離を超過すると、前記受光素子及び前記イメージセンサのうちの１つを用いて前記ボリューム情報を判断することを特徴とする請求項１２に記載の身体情報検知方法。
【請求項１４】
前記ボリューム情報または前記血流情報を判断するステップは、
前記検知対象と前記発光素子との間の距離が前記第１距離を超過して且つ第２距離以内なら、前記受光素子を用いて前記検知対象の一部領域に対するボリューム情報を判断し、
前記検知対象と前記発光素子との間の距離が前記第１距離及び前記第２距離を両方超過すると、前記イメージセンサを用いて前記検知対象の全体に対するボリューム情報を判断することを特徴とする請求項１３に記載の身体情報検知方法。
【請求項１５】
前記ボリューム情報または前記血流情報を判断するステップは、
前記イメージセンサを活性化させて前記反射光信号の飽和度を判断し、前記飽和度の大きさに応じて、前記検知対象と前記発光素子との間の距離を判断することを特徴とする請求項１１ないし１４のいずれか一項に記載の身体情報検知方法。
【発明の詳細な説明】
【技術分野】
【０００１】
本発明は、身体情報検知装置及びその身体情報検知方法に関し、より詳細には、身体のボリューム情報及び血流情報を全て獲得することができる身体情報検知装置及びその身体情報検知方法に関する。
【背景技術】
【０００２】
近年、高齢人口の増加及び技術の発達により、家庭内には多様な種類の医療機器が提供されている。例えば、代表的な家庭内の医療機器としては、血糖値を測定する機器、血圧を測定する機器等があり、スマートフォン等のような携帯用端末を通じてユーザの健康を管理することができる。特に、暮らしを健康かつ豊かにするための人間の要求に応じて、家庭内の医療機器に対する需要が次第に増加している。
【０００３】
一方、従来の人間の心拍数や血流情報を測定する機器は、ＩＲセンサを用いた透過型検出方式と反射型検出方式を利用してきた。透過型検出方式は、光源から指に光を照射すると、血液、骨、組織で光の吸収が発生し、一部の光は透過して光受信機に到達する。光が吸収される度合いは、光が通る経路にある皮膚、組織、血液の量に比例し、心臓の拍動による血流の変化を除いては、変化しない成分であるため、吸収される光量の変化に比例する。光受信部で検出された透過光は、指から吸収された光量分だけ差し引かれて受信されるため、透過光の光量の変化も血流の変化を反映するようになり、光受信機の光量を測定することで、心臓の拍動に同期した血量変化検出が可能となる。反射型検出方式も、透過型検出方式と血流変化検出方法とは類似するが、光を受信するセンサの位置に相異がある。透過型検出方式は、発光素子の上に受光素子が設置されて発光素子と受光素子との間に指等を差し込むことになっており、反射型は発光素子の横に受光素子が設置されて血流の変化に対する光の反射量を検出して心拍数を測定する。
【０００４】
なお、従来の人間のボリューム情報を測定する機器は、３Ｄボディスキャナを使用しなければならない。しかし、３Ｄボディスキャナは非常に高価であり、家庭に設置して使用することは困難である。よって、既存の市場に出回る人のボリュームを測定する機器は、デプスカメラとイメージプロセシングアルゴリズムを通じて人のデプスを測定した後、ボリュームを計算するようになる。このとき、デプスカメラはＴＯＦ（Ｔｉｍｅ  Ｏｆ  Ｆｌｉｇｈｔ）方式とパターン方式とが使用されている。このうち、ＴＯＦ方式は、最も一般的かつ基本的な距離測定方式として、パルスを打ち、反射波が入る時間差を測定して距離を求める方式でレーダーや超音波センサで最も使用する。そして、パターン方式は、ＩＲパターンの間隔や変形、サイズを見てデプスを計算する方式である。
【０００５】
一方、上述のような人の心拍数等のような血流情報を測定する機器と人の身体サイズ、体脂肪等のようなボリューム情報を測定する機器は、ＩＲ光を用いて人の身体情報を獲得する点において類似する方式を利用するが、相互が分離して存在している。
【先行技術文献】
【特許文献】
【０００６】
【特許文献１】韓国特開第２００９−０１０１５５７号公報
【特許文献２】韓国特開第２０１２−００９６９７９号公報
【特許文献３】韓国特開第２００５−００６５９９５号公報
【特許文献４】日本特開第２０１３−１３４１４８号公報
【発明の概要】
【発明が解決しようとする課題】
【０００７】
そこで、本発明は、上記問題に鑑みてなされたものであり、本発明の目的とするところは、遠距離及び近距離からは身体のボリューム情報を獲得し、超近接距離からは血流情報を獲得することができる身体情報検知装置及びその身体情報検知方法を提供することにある。
【課題を解決するための手段】
【０００８】
上述の目的を達成するための本発明の一実施形態に係る身体情報検知装置は、検知対象に光信号を発光する発光素子と、前記検知対象から反射される反射光信号を検出するための受光素子と、前記検知対象から反射される反射光信号を検出するためのイメージセンサと、前記検知対象と前記発光素子との間の距離に応じて、前記受光素子及び前記イメージセンサのうち少なくとも１つを選択的に駆動させ、前記反射光信号を用いて前記検知対象のボリューム情報及び前記検知対象の血流情報のうち少なくとも１つを検知する制御部とを含む。
【０００９】
そして、前記制御部は、前記検知対象と前記発光素子との間の距離が第１距離以内なら、前記検知対象の前記血流情報を判断し、前記検知対象と前記発光素子との間の距離が前記第１距離を超過すると、前記検知対象の前記ボリューム情報を判断してよい。
【００１０】
なお、前記制御部は、前記検知対象と前記発光素子との間の距離が前記第１距離以内なら、前記受光素子を用いて前記血流情報を判断し、前記検知対象と前記発光素子との間の距離が前記第１距離を超過すると、前記受光素子及び前記イメージセンサのうちの１つを用いて前記ボリューム情報を判断してよい。
【００１１】
そして、前記制御部は、前記検知対象と前記発光素子との間の距離が前記第１距離を超過して且つ第２距離以内なら、前記受光素子を用いて前記検知対象の一部領域に対するボリューム情報を判断し、前記検知対象と前記発光素子との間の距離が前記第１距離及び前記第２距離を両方超過すると、前記イメージセンサを用いて前記検知対象の全体に対するボリューム情報を判断してよい。
【００１２】
なお、前記制御部は、前記イメージセンサを活性化させて前記反射光信号の飽和度を判断し、前記飽和度の大きさに応じて、前記受光素子及び前記イメージセンサのうち少なくとも１つを選択的に駆動させ、前記飽和度は、前記検知対象と前記発光素子との間の距離に応じて異なってよい。
【００１３】
そして、前記発光素子、前記受光素子及び前記イメージセンサは、１つのセンサモジュールで集積され、前記イメージセンサは、前記センサモジュールの中央に配置され、前記発光素子は、前記イメージセンサの周辺領域に複数個で配置され、前記受光素子は、前記発光素子と対をなすように配置されてよい。
【００１４】
なお、前記センサモジュールをカバーして前記光信号及び前記反射光信号を透過させる透明ディスプレイを更に含み、前記制御部は、前記検知された血流情報及びボリューム情報のうち少なくとも１つをディスプレイするように前記透明ディスプレイを制御してよい。
【００１５】
そして、前記血流情報は、心拍数情報及び動脈硬化情報を含み、前記ボリューム情報は、前記検知対象の身体イメージ、体重情報、身体周り情報、ＢＭＩ値のうち少なくとも１つを含み、前記制御部は、前記心拍数情報、動脈硬化情報、前記検知対象の身体イメージ、体重情報、身体周り情報、ＢＭＩ値のうち少なくとも１つを前記透明ディスプレイするように制御してよい。
【００１６】
なお、前記制御部は、前記ユーザの手が前記透明ディスプレイにタッチされた場合、前記検知対象と前記発光素子との距離が第１距離以内と判断し、前記身体の血流情報を判断してよい。
【００１７】
そして、外部ディスプレイ機器と通信を行う通信部を更に含み、前記制御部は、前記検知されたボリューム情報及び血流情報のうちの１つを外部のディスプレイ機器に伝送するように前記通信部を制御してよい。
【００１８】
一方、上述の目的を達成するための本発明の一実施形態に係る身体情報検知方法は、検知対象と前記検知対象に光信号を発光する発光素子と間の距離を判断するステップと、前記検知対象と前記発光素子との間の距離に応じて、前記検知対象から反射される反射光信号を検出するために、受光素子及びイメージセンサのうち少なくとも１つを選択するステップと、前記選択された受光素子及びイメージセンサのうち少なくとも１つを用いて前記反射された反射光信号を獲得するステップと、前記反射光信号を用いて、前記検知対象のボリューム情報または前記検知対象の血流情報を判断するステップとを含む。
【００１９】
そして、前記ボリューム情報または前記血流情報を判断するステップは、前記検知対象と前記発光素子との間の距離が第１距離以内なら、前記検知対象の前記血流情報を判断し、前記検知対象と前記発光素子との間の距離が前記第１距離を超過すると、前記検知対象の前記ボリューム情報を判断してよい。
【００２０】
なお、前記ボリューム情報または前記血流情報を判断するステップは、前記検知対象と前記発光素子との間の距離が第１距離以内なら、前記受光素子を用いて前記血流情報を判断し、前記検知対象と前記発光素子との間の距離が前記第１距離を超過すると、前記受光素子及び前記イメージセンサのうちの１つを用いて前記ボリューム情報を判断してよい。
【００２１】
そして、前記ボリューム情報または前記血流情報を判断するステップは、前記検知対象と前記発光素子との間の距離が前記第１距離を超過して且つ第２距離以内なら、前記受光素子を用いて前記検知対象の一部領域に対するボリューム情報を判断し、前記検知対象と前記発光素子との間の距離が前記第１距離及び前記第２距離を両方超過すると、前記イメージセンサを用いて前記検知対象の全体に対するボリューム情報を判断してよい。
【００２２】
なお、前記ボリューム情報または前記血流情報を判断するステップは、前記イメージセンサを活性化させて前記反射光信号の飽和度を判断し、前記飽和度の大きさに応じて、前記検知対象と前記発光素子との間の距離を判断してよい。
【００２３】
そして、前記発光素子、前記受光素子及び前記イメージセンサは、１つのセンサモジュールで集積され、前記イメージセンサは、前記センサモジュールの中央に配置され、前記発光素子は、前記イメージセンサの周辺領域に複数個で配置され、前記受光素子は、前記発光素子と対をなすように配置されてよい。
【００２４】
なお、前記検知された血流情報及びボリューム情報のうち少なくとも１つを透明ディスプレイにディスプレイするステップを更に含んでよい。
【００２５】
そして、前記血流情報は、心拍数情報及び動脈硬化情報を含み、前記ボリューム情報は、前記検知対象の身体イメージ、体重情報、身体周り情報、ＢＭＩ値のうち少なくとも１つを含み、前記制御部は、前記心拍数情報、動脈硬化情報、前記検知対象の身体イメージ、体重情報、身体周り情報、ＢＭＩ値のうち少なくとも１つをディスプレイするように前記透明ディスプレイを制御してよい。
【００２６】
なお、前記ボリューム情報または前記血流情報を判断するステップは、前記ユーザの手が前記透明ディスプレイにタッチされた場合、前記検知対象と前記発光素子との距離が第１距離以内と判断してよい。
【００２７】
そして、前記検知されたボリューム情報及び血流情報のうちの１つを外部のディスプレイ機器に伝送するステップを更に含んでよい。
【００２８】
一方、上述の目的を達成するための本発明の一実施形態に係る身体情報検知装置は、検知対象に光信号を発光する少なくとも１つの発光素子と、前記検知対象から反射される反射光信号を検出するための少なくとも１つの受光素子、前記検知対象から反射される反射光信号を検出するためのイメージセンサと、前記受光素子を用いて前記検知対象の血流情報を検知する第１モードモード、前記受光素子を用いて前記検知対象のボリューム情報を検知する第２動作モード及び前記イメージセンサを用いて前記検知対象のボリューム情報を検知する第３モードのうちの１つの動作モードで選択的に動作する制御部とを含む。
【発明の効果】
【００２９】
以上説明したように、本発明によれば、１つの身体情報検知装置を通じて、人の血流情報及びボリューム情報を同時に獲得することができるようになり、ユーザの総合的な健康管理が可能となる。
【図面の簡単な説明】
【００３０】
【図１】本発明の一実施形態に係る身体情報検知装置の構成を示すブロック図である。
【図２Ａ】本発明の一実施形態に係る身体情報検知装置の構成を具体的に説明するための図である。
【図２Ｂ】本発明の一実施形態に係る身体情報検知装置の構成を具体的に説明するための図である。
【図２Ｃ】本発明の一実施形態に係る身体情報検知装置の構成を具体的に説明するための図である。
【図３】本発明の一実施形態に係るイメージセンサの構成を示す図である。
【図４】本発明の一実施形態に係る遠距離から人のボリューム情報を獲得する方法を説明するための図である。
【図５】本発明の一実施形態に係る近距離から人のボリューム情報を獲得する方法を説明するための図である。
【図６Ａ】本発明の一実施形態に係る人の血流情報を獲得する方法を説明するための図である。
【図６Ｂ】本発明の一実施形態に係る人の血流情報を獲得する方法を説明するための図である。
【図６Ｃ】本発明の一実施形態に係る人の血流情報を獲得する方法を説明するための図である。
【図７Ａ】本発明の一実施形態に係る人の身体情報をディスプレイする実施形態を説明するための図である。
【図７Ｂ】本発明の一実施形態に係る人の身体情報をディスプレイする実施形態を説明するための図である。
【図８】本発明の一実施形態に係る身体情報検知方法を概略に説明するためのフローチャートである。
【図９】本発明の別の実施形態に係る身体情報検知方法を説明するためのフローチャートである。
【図１０】本発明の別の実施形態に係る身体情報検知装置の構成を示すブロック図である。
【図１１】本発明の一実施形態に係る身体情報検知装置の検知した身体情報を外部のディスプレイ装置がディスプレイする実施形態を説明するための図である。
【図１２】本発明の一実施形態に係る身体情報検知装置の検知した身体情報を外部のディスプレイ装置がディスプレイする実施形態を説明するための図である。
【図１３】本発明の一実施形態に係る身体情報検知装置がユーザのモーション情報を獲得して外部機器を制御する実施形態を説明するための図である。
【図１４】本発明の一実施形態に係る身体情報検知装置がユーザのモーション情報を獲得して外部機器を制御する実施形態を説明するためのフローチャートである。
【図１５】本発明の一実施形態に係る身体情報検知装置の検知した身体情報を外部のサーバに伝送してユーザに身体管理サービスを提供する実施形態を説明するための図である。
【図１６】本発明の一実施形態に係る身体情報検知装置の検知した身体情報を外部のサーバに伝送してユーザに身体管理サービスを提供する実施形態を説明するための図である。
【発明を実施するための形態】
【００３１】
以下に添付図面を参照しながら、本発明の好適な実施形態について詳細に説明する。
【００３２】
図１は、本発明の一実施形態に係る身体情報検知装置１００の構成が概略に説明するためのブロック図である。図１に示すように、身体情報検知装置１００は、発光素子１１０と、受光素子１２０と、イメージセンサ１３０及び制御部１４０を含む。
【００３３】
発光素子１１０は、検知対象（例えば、身体等）に光信号を発光する。このとき、発光素子１１０は、ＩＲ光信号を発光することができるが、それは一実施形態に過ぎず、他の光信号を発光することができる。
【００３４】
受光素子１２０は、制御部１４０の制御に応じて、検知対象から反射される反射光を検出する。このとき、受光素子１２０は、発光素子１１０と対をなすように配置されてよい。
【００３５】
イメージセンサ１３０は、制御部１４０の制御に応じて、検知対象から反射される反射光を検出する。このとき、発光素子１１０と、受光素子１２０及びイメージセンサ１３０は、１つのセンサモジュールで集積されてよく、イメージセンサ１３０は、センサモジュールの中央に配置され、発光素子１１０及び受光素子１２０は、イメージセンサ１３０の周辺領域に複数個で配置されてよい。
【００３６】
制御部１４０は、検知対象と発光素子１１０との間の距離に応じて、受光素子１２０及びイメージセンサ１３０のうち少なくとも１つを選択的に駆動させて反射光信号を獲得し、反射光信号を用いて検知対象のボリューム情報または検知対象の血流情報を検知することができる。
【００３７】
具体的に、制御部１４０は、検知対象と発光素子１１０との間の距離を判断することができる。このとき、制御部１４０は、イメージセンサ１３０を活性化させて反射光信号の飽和度を検知し、飽和度の大きさに応じて距離を判断することができる。具体的に、イメージセンサ１３０の検知した反射光信号の飽和度が予め設定された第１値以上である場合、制御部１４０は、検知対象と発光素子１１０との間の距離が第１距離以内と判断することができる。イメージセンサ１３０が検知した反射光信号の飽和度が予め設定された第１値未満であり且つ第２値以上である場合、制御部１４０は、検知対象と発光素子１１０との間の距離が第１距離超過であり且つ第２距離以下であると判断することができる。なお、イメージセンサ１３０が検知した反射光信号の飽和度が予め設定された第２値未満である場合、制御部１４０は、検知対象と発光素子１１０との間の距離が第２距離超過と判断することができる。
【００３８】
そして、制御部１４０は、検知対象と発光素子１１０との間の距離に応じて、受光素子１２０及びイメージセンサのうちの１つを駆動させ、検知対象のボリューム情報及び血流情報のうちの１つを検知することができる。具体的に、検知対象と発光素子１１０との間の距離が第１距離以内なら、制御部１４０は、検知対象の血流情報を検知し、検知対象と発光素子１１０との間の距離が第１距離を超過すると、制御部１４０は検知対象のボリューム情報を検知することができる。このとき、検知対象と発光素子１１０との間の距離が第１距離以内なら、制御部１４０は、受光素子を用いて血流情報を検知し、検知対象と発光素子１１０との間の距離が第１距離を超過すると、制御部１４０は、受光素子１２０及びイメージセンサ１３０のうちの１つを用いてボリューム情報を検知することができる。検知対象のボリューム情報を検知する方法をより詳細に説明すると、検知対象と発光素子１１０との間の距離が第１距離を超過して且つ第２距離以内なら、制御部１４０は、受光素子１２０を用いて検知対象の一部領域（例えば、顔や下半身等）に対するボリューム情報を検知し、検知対象と発光素子１１０との間の距離が第１距離及び第２距離を両方超過すると、制御部１４０はイメージセンサ１３０を用いて検知対象の全体に対するボリューム情報を検知することができる。
【００３９】
よって、上述のような身体情報検知装置１００を介して、ユーザは血流情報及びボリューム情報を同時に獲得することができるようになり、ユーザの総合的な健康管理が可能になる。
【００４０】
以下では、図２Ａないし図７Ｂを参照し、身体情報検知装置２００についてより詳細に説明する。図２Ａは、本発明の一実施形態に係る身体情報検知装置２００の構成を示すブロック図である。図２Ａに示すように、身体情報検知装置２００は、発光素子２１０と、受光素子２２０と、イメージセンサ２３０と、透明ディスプレイ２５０と、通信部２６０と、保存部２７０及び制御部２８０を含む。
【００４１】
発光素子２１０は、検知対象の身体情報を獲得するために、検知対象に光信号を発光する。このとき、光信号はＩＲ光信号であってよいが、それは一実施形態に過ぎず、他の光信号（例えば、可視光線等）または超音波も本願発明の技術的思想に含まれる。
【００４２】
受光素子２２０は、発光素子２１０の発光した光信号が検知対象から反射された反射光を検出する。このとき、受光素子２２０は、発光素子２１０と対をなすように配置されてよい。なお、受光素子２２０が駆動される動作モードである場合、発光素子２１０及び受光素子２２０は順次に動作して検知対象の一部領域に対するボリューム情報を獲得することができる。
【００４３】
イメージセンサ２３０は、発光素子２１０の発光した光信号が検知対象から反射された反射光を検出する。なお、イメージセンサ２３０が駆動される動作モードである場合、イメージセンサ２３０は、反射光を獲得して検知対象の全領域に対するボリューム情報を獲得することができる。なお、イメージセンサ２３０は、検知対象と発光素子２１０との間の距離を測定するために、発光素子２１０の発光した光信号が検知対象から反射された反射光の飽和度を検出することができる。
【００４４】
イメージセンサについてより詳細に説明すると、イメージセンサ２３０は、図３に示すように、それぞれのセルに２つの光受信部が対で構成されている。このとき、光受信部は、検知対象から反射される反射光を検知することができる。なお、光受信部は、インフェイズ（ｉｎ  ｐｈａｓｅ）光受信部と、アウトフェイズ（ｏｕｔ  ｐｈａｓｅ）光受信部で構成されてよく、インフェイズ受信部は、インフェイズ状態でのみ活性化されて反射光を受信し、アウトフェイズ光受信部は、アウトフェイズ状態でのみ活性化されて反射光を受信することができる。
【００４５】
一方、発光素子２１０と、受光素子２２０及びイメージセンサ２３０は、１つのセンサモジュールで集積されてよい。特に、イメージセンサ２３０は、図２Ｂに示すように、センサモジュールの中央に配置され、発光素子２１０−１ないし２１０−４及び受光素子２２０−１ないし２２０−４は、イメージセンサ２３０の周辺領域に対で配置されてよい。このとき、発光素子２１０−１ないし２１０−４及び受光素子２２０−１ないし２２０−４が４対であるとして説明したが、それは一実施形態に過ぎず、複数の対で実現されてよい。特に、発光素子と受光素子の数が増加するにつれ、検知対象のボリューム情報をより精密に獲得することができるようになる。
【００４６】
透明ディスプレイ２５０は、制御部２４０の制御に応じて、身体情報に対する多様なＵＩをディスプレイする。具体的に、透明ディスプレイ２５０は、心拍数情報及び動脈硬化情報のような血流情報に関連する情報をディスプレイすることができ、検知対象の身体イメージ、体重情報、身体周り情報、ＢＭＩ情報等のようなボリューム情報に関連する情報をディスプレイすることができる。なお、透明ディスプレイ２５０は、通信部２６０を介して受信されたコンテンツをディスプレイすることができる。
【００４７】
なお、透明ディスプレイ２５０は、図３に示すように、センサモジュールの前面に位置することができる。よって、透明ディスプレイ２５０は、センサモジュールの発光素子２１０の発光した光信号及び検知対象から反射される反射光を透過することができる。
【００４８】
なお、透明ディスプレイ２５０は、タッチセンサを含むことができる。タッチセンサが含まれた場合、透明ディスプレイ２５０にユーザの手がタッチされた場合、制御部２４０は、発光素子２１０と検知対象との間の距離が第１距離以内と判断することができる。
【００４９】
なお、透明ディスプレイ２５０は、シャワーブースの少なくとも一面に位置することができる。
【００５０】
通信部２６０は、多様な通信方式によって多様な類型の外部機器と通信を行う構成である。通信部２６０は、Ｗｉ−Ｆｉチップ、ブルートゥースチップ、ＮＦＣチップ、無線通信チップ、ＩＲチップ等のような多様な通信チップを含むことができる。このとき、Ｗｉ−Ｆｉチップ、ブルートゥースチップ、ＮＦＣチップ、ＩＲチップは、それぞれＷｉ−Ｆｉ方式、ブルートゥース方式、ＮＦＣ方式、ＩＲ方式で通信を行う。この中で、ＮＦＣチップは、１３５ｋＨｚ、１３．５６ＭＨｚ、４３３ＭＨｚ、８６０〜９６０ＭＨｚ、２．４５ＧＨｚ等のような多様なＲＦ−ＩＤ周波数帯域のうち、１３．５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。Ｗｉ−Ｆｉチップやブルートゥースチップを利用する場合には、ＳＳＩＤ及びセッションキー等のような各種接続情報を先に送受信し、それを用いて通信接続した後、各種情報を送受信することができる。無線通信チップは、ＩＥＥＥ、Ｚｉｇｂｅｅ（登録商標）、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ
Ｅｖｏｌｕｔｉｏｎ）等のような多様な通信規格によって通信を行うチップを意味する。
【００５１】
特に、通信部２６０は、制御部２４０の制御に応じて、検知された身体情報を外部のディスプレイ装置に伝送することができる。なお、通信部２６０は、外部機器を制御するための制御情報を外部機器に伝送することができる。
【００５２】
保存部２７０は、身体情報検知装置２００を駆動するための多様なモジュールを保存する。例えば、保存部２７０には、ベースモジュール、センシングモジュール、通信モジュール、プレゼンテーションモジュール、サービスモジュールを含むソフトウェアが保存されてよい。このとき、ベースモジュールは、身体情報検知装置２００に含まれた各ハードウェアから伝達される信号を処理して上位レイヤモジュールに伝達する基礎モジュールである。センシングモジュールは、各種センサから情報を収集し、収集された情報を分析及び管理するモジュールとして、顔認識モジュール、音声認識モジュール、モーション認識モジュール、ＮＦＣ認識モジュール等を含むこともできる。プレゼンテーションモジュールは、ディスプレイ画面を構成するためのモジュールとして、マルチメディアコンテンツを再生して出力するためのマルチメディアモジュール、ＵＩ及びグラフィック処理を行うＵＩレンダリングモジュールを含むことができる。通信モジュールは、外部と通信を行うためのモジュールである。サービスモジュールは、多様なサービスを提供するための各種アプリケーションを含むモジュールである。
【００５３】
特に、保存部２７０は、検知対象の身体情報を獲得するために、距離情報検知モジュール、ボリューム情報検知モジュール及び血流情報検知モジュールを含むことができる。
【００５４】
制御部２８０は、保存部２７０に保存された各種モジュール及びプログラムを用いて身体情報検知装置２００を制御することができる。特に、制御部２４０は、検知対象と発光素子２１０との間の距離に応じて、受光素子及びイメージセンサのうち少なくとも１つを選択的に駆動させて反射光信号を獲得し、反射光信号を用いて検知対象のボリューム情報または検知対象の血流情報を検知することができる。
【００５５】
具体的に、制御部２４０は、検知対象と発光素子２１０との間の距離を測定することができる。特に、検知対象と発光素子２１０との間の距離を測定するために、制御部２４０は、発光素子２１０の発光した光信号が検知対象から反射された反射光をイメージセンサ２３０が検知するようにイメージセンサ２３０を活性化することができる。そして、制御部２４０は、イメージセンサ２３０の検知した反射光の飽和度を計算して検知対象と発光素子２１０との間の距離を測定することができる。このとき、飽和度が予め設定された第１値以上である場合、制御部２４０は、検知対象と発光素子２１０との間の距離を第１距離以内と判断することができる。このとき、第１距離は、透明ディスプレイ２５０の厚さであってよい。そして、飽和度が予め設定された第１値未満であって且つ第２値以上である場合、制御部２４０は、検知対象と発光素子２１０との間の距離を第１距離超過第２距離以内と判断することができる。このとき、第２距離は３０ｃｍであってよいが、それは一実施形態に過ぎず、別の値であってよい。そして、飽和度が予め設定された第２値未満である場合、制御部２４０は、検知対象と発光素子２１０との間の距離を第２距離超過と判断することができる。
【００５６】
一方、上述のように、イメージセンサ２３０の検知した反射光の飽和度を用いて検知対象と発光素子２１０との間の距離を測定することは一実施形態に過ぎず、他の方法を用いて検知対象と発光素子２１０との間の距離を測定することができる。具体的に、透明ディスプレイ２５０にユーザの手のタッチが検知された場合、制御部２４０は、検知対象と発光素子２１０との間の距離を第１距離以内と判断することができる。すなわち、透明ディスプレイ２５０にユーザの手のタッチが検知された場合、制御部２４０は、検知対象と発光素子２１０との間の距離を透明ディスプレイ２５０の厚さである第１距離と判断することができる。
【００５７】
そして、制御部２４０は、検知対象と発光素子２１０との間の距離に応じて、受光素子２２０及びイメージセンサ２３０のうちの１つを選択的に駆動させて検知対象のボリューム情報または血流情報を検知することができる。
【００５８】
以下では、図４ないし図６Ｃを参照して、ユーザのボリューム情報または血流情報を検知する方法について説明する。
【００５９】
図４は、本発明の一実施形態に係る検知対象の全領域に対するボリューム情報を検知する実施形態を説明するための図である。まず、検知対象と発光素子２１０との間の距離が第２距離超過と判断された場合、制御部２４０は、発光素子２１０及びイメージセンサ２３０を駆動させることができる。そして、イメージセンサ２３０は、発光素子２１０が発光して、検知対象から反射された反射光を検出することができる。このとき、制御部２４０は、イメージセンサ２３０の検出した反射光を用いてデプスデータを獲得することができる。このとき、デプスデータは、検知対象と発光センサ２１０との間の距離をピクセルタイプの解像度サイズで表現したデータであってよい。このとき、デプスデータは、８ビット、１６ビット及び３２ビットタイプのうちの１つで実現されてよい。
【００６０】
そして、制御部２４０は、デプスデータを用いて検知対象の全領域（例えば、ユーザの全身）に対するボリューム情報を獲得することができる。このとき、検知対象の全領域に対するボリューム情報は、検知対象の全身イメージ、体重情報、身体周り情報及びＢＭＩ値のうち、少なくとも１つを含んでよい。
【００６１】
そして、制御部２４０は、獲得された全身イメージ、体重情報、身体周り情報及びＢＭＩ値のうち、少なくとも１つを透明ディスプレイ２５０にディスプレイするように制御することができ、外部のディスプレイ装置に伝送するように通信部２６０を制御することができる。
【００６２】
図５は、本発明の一実施形態に係る検知対象の一部領域に対するボリューム情報を検知する実施形態を説明するための図である。まず、検知対象と発光素子２１０との間の距離が第１距離超過第２距離以内と判断された場合、制御部２４０は、発光素子２１０と発光素子２１０と対をなす受光素子２２０とを順次に駆動させることができる。そして、受光素子２２０は、対をなす発光素子２１０が発光して、検知対象から反射された反射光を検出することができる。このとき、制御部２４０は、受光素子２２０の検出した反射光を用いて、デプスデータを獲得することができる。このとき、デプスデータは、検知対象と発光センサ２１０との間の距離をピクセルタイプの解像度サイズで表現したデータであってよく、８ビット、１６ビット及び３２ビットタイプのうちの１つで実現されてよい。
【００６３】
そして、制御部２４０は、デプスデータを用いて検知対象の一部領域（例えば、ユーザの腰やお腹等）に対するボリューム情報を獲得することができる。このとき、検知対象の一部領域に対するボリューム情報は、検知対象の全身のうち、一部領域に対するイメージ、一部領域に対する身体周り情報のうち、少なくとも１つを獲得することができる。
【００６４】
そして、制御部２４０は、検知対象の身体のうち、一部領域に対するイメージ、一部領域に対する身体周り情報のうち、少なくとも１つを透明ディスプレイ２５０にディスプレイするように制御することができ、外部のディスプレイ装置に伝送するように通信部２６０を制御することができる。
【００６５】
図６Ａないし図６Ｃは、本発明の一実施形態に係る検知対象の血流情報を獲得する実施形態を説明するための図である。まず、検知対象と発光素子２１０との間の距離が第１以内と判断された場合、制御部２４０は、発光素子２１０と発光素子２１０と対をなす受光素子２２０とを順次に駆動させることができる。そして、受光素子２２０は、対をなす発光素子２１０が発光して、検知対象（例えば、指）から反射された反射光を検出することができる。このとき、制御部２４０は、受光素子２２０の検出した反射光を用いて、血流データを獲得することができる。
【００６６】
より具体的には、発光素子２１０が人の指に光信号を発光すると、指に位置する血液、骨、組織で光の吸収が発生し、一部の光は反射されて受光素子２２０が検出することができる。特に、光が吸収される程度は、光が通る経路にある皮膚、組織、血液の量に比例するが、図６Ｂに示すように、心臓の拍動による血流の変化を除いては残りの成分によって変化しない。
【００６７】
よって、図６Ｃに示すように、受光素子２２０から検出された反射光は指で吸収された光量分だけ差し引かれて受信されるため、反射光の光量の変化も、血流の変化を反映することになるため、受光素子２２０が反射光の光量を測定することで、心臓の拍動に同期した血流変化検出が可能となる。特に、図６Ｃに示すＡＣ成分を通常脈波（Ｐｈｏｔｏ  Ｐｌｅｔｈｙｓｍｏ  Ｇｒａｐｈ：ＰＰＧ）という。
【００６８】
このとき、血流データは、８ビット、１６ビット及び３２ビットのうちの１つで実現されてよく、デプスデータと連続して構成されたり分離されて構成されてよい。
【００６９】
そして、制御部２０４は、血流データを用いて検知対象の血流情報を獲得することができる。このとき、血流情報は、心拍数情報及び動脈硬化情報を含むことができる。
【００７０】
そして、制御部２４０は、心拍数情報及び動脈硬化情報のうち少なくとも１つを透明ディスプレイ２５０にディスプレイするように制御することができ、外部のディスプレイ装置に伝送するように通信部２６０を制御することができる。このとき、心拍数情報は数値でディスプレイされてよいが、それは一実施形態に過ぎず、グラフ状でディスプレイされてよい。
【００７１】
一方、本発明の一実施形態において、身体情報検知装置２００はシャワーブースに設置され、シャワーブースの少なくとも一面は透明ディスプレイ２５０で実現されてよい。具体的に、図７Ａに示すように、身体情報検知装置２００は３面のシャワーブースに設置されてよく、シャワーブースの３面が透明ディスプレイ２５０で実現されてよい。
【００７２】
このとき、シャワーブースの少なくとも１つの面に位置する身体情報検知装置２００は、上述のような方法でユーザの身体情報（例えば、全身イメージ、ＢＭＩ値、心拍数情報、動脈硬化情報等）を獲得し、図７Ｂに示すように、シャワーブースの一面にディスプレイすることができる。そして、シャワーブースの他の面には外部から受信されるコンテンツをディスプレイすることができ、保存部２７０に保存された映像コンテンツをディスプレイすることができる。
【００７３】
一方、上述の実施形態においては、制御部２４０が検知対象と発光素子２１０との間の距離に応じて、受光素子２２０及びイメージセンサ２３０のうちの１つを選択的に駆動させ、ボリューム情報及び血流情報のうちの１つを検知するものとして説明したが、それは一実施形態に過ぎず、他の方法でボリューム情報及び血流情報のうちの１つを検知することができる。
【００７４】
具体的に、制御部２４０は、受光素子２２０を用いて検知対象の血流情報を検知する第１動作モード、受光素子２２０を用いて検知対象のボリューム情報を検知する第２動作モード及びイメージセンサ２３０を用いて検知対象のボリューム情報を検知する第３モードのうちの１つの動作モードで選択的に動作することができる。このとき、第１動作モードないし第３動作モードは、ユーザ入力に応じて設定されてよい。ここで、ユーザ入力は、タッチスクリーン、リモコン、ポインティングデバイス、音声入力装置、モーション入力装置等のような多様な入力装置を介して入力されてよい。
【００７５】
具体的に、ユーザ入力によって第１動作モードが設定された場合、制御部２４０は、複数の発光素子２１０を順次に駆動させて光信号を発光し、複数の受光素子２２０を順次に駆動させて検知対象から反射された反射光を検出して検知対象の血流情報を検知することができる。そして、ユーザ入力によって第２動作モードが設定された場合、制御部２４０は、複数の発光素子２１０を順次に駆動させて光信号を発光し、受光素子２２０を順次に駆動させて検知対象から反射された反射光を検出し、検知対象の一部領域に対するボリューム情報を検知することができる。そして、ユーザ入力によって第３動作モードが設定された場合、制御部２４０は発光素子２１０を駆動させて光信号を発光し、イメージセンサ２３０を駆動させて検知対象から反射された反射光を検出し、検知対象の全領域に対するボリューム情報を検知することができる。一方、第３動作モードが設定された場合、検知対象と発光素子２１０との間の距離が予め設定された第２距離以内なら、制御部２４０は、反射光の飽和度が予め設定された値以上と判断し、検知対象の全領域に対するボリューム情報を検知することができないとのガイドメッセージをディスプレイするように透明ディスプレイ２５０を制御することができる。そして、制御部２４０は、動作モードを第２動作モードに自動的に切り替えて検知対象の一部領域に対するボリューム情報を検知することができる。
【００７６】
一方、上述の実施形態においては、多様な身体情報をディスプレイするために、透明ディスプレイ２５０を利用するものとして説明したが、それは一実施形態に過ぎず、他のディスプレイ（例えば、ＣＲＴ、ＬＣＤ、ＯＬＥＤ等）で実現されてよい。
【００７７】
上述のような身体情報検知装置２００を用いてユーザの自分の血流情報及びボリューム情報を同時に獲得することができ、体系的な健康管理が可能となる。
【００７８】
以下では、図８及び図９を参照し、本発明の身体情報検知方法について説明する。図８は、本発明の一実施形態に係る身体情報検知装置２００の身体情報検知方法を説明するためのフローチャートである。
【００７９】
まず、身体情報検知装置２００は、検知対象と発光素子２０１との間の距離を判断する（Ｓ８１０）。このとき、身体情報検知装置２００は、イメージセンサ２３０を駆動させ、検知対象から反射される反射光の飽和度を用いて、検知対象と発光素子２１０との間の距離を判断することができる。なお、身体情報検知装置２００は、透明ディスプレイ２５０に入力されたユーザタッチを用いて検知対象と発光素子２１０との間の距離を判断することができる。
【００８０】
そして、身体情報検知装置２００は、受光素子２２０及びイメージセンサ２３０のうち少なくとも１つを駆動させて反射光を検出する（Ｓ８２０）。具体的に、検知対象と発光素子２１０との間の距離が第２距離以内と判断された場合、身体情報検知装置２００は、受光素子２２０を用いて反射光を検出することができる。検知対象と発光素子２１０との間の距離が第２距離超過と判断された場合、身体情報検知装置２００は、イメージセンサ２３０を用いて反射光を検出することができる。
【００８１】
そして、身体情報検知装置２００は、獲得された反射光を用いてボリューム情報または血流情報を検知する（Ｓ８３０）。具体的に、検知対象と発光素子２１０との間の距離が第１距離以内と判断された場合、身体情報検知装置２００は、受光素子２２０の検出した反射光を用いて、血流情報を検知することができる。なお、検知対象と発光素子２１０との間の距離が第１距離超過第２距離以内と判断された場合、身体情報検知装置２００は、受光素子２２０の検出した反射光を用いて、検知対象の一部領域に対するボリューム情報を検知することができる。なお、検知対象と発光素子２１０との間の距離が第２距離超過と判断された場合、身体情報検知装置２００は、イメージセンサ２３０の検出された反射光を用いて、検知対象の全領域に対するボリューム情報を検知することができる。
【００８２】
図９は、本発明の別の実施形態に係る身体情報検知装置２００の身体情報検知方法を説明するためのフローチャートである。
【００８３】
まず、身体情報検知装置２００は、動作モードを判断する（Ｓ９１０）。このとき、身体情報検知装置２００の動作モードは、ユーザ入力によって設定されてよい。
【００８４】
身体情報検知装置２００の動作モードが第１動作モードと判断された場合（Ｓ９２０−Ｙ）、身体情報検知装置２００は、発光素子２１０及び受光素子２２０を用いて検知対象の血流情報を検知する（Ｓ９３０）。
【００８５】
身体情報検知装置２００の動作モードが第１動作モードではない（Ｓ９２０−Ｎ）、第２動作モードと判断された場合（Ｓ９４０−Ｙ）、身体情報検知装置２００は、発光素子２１０及び受光素子２２０を用いて、検知対象のボリューム情報を検知する（Ｓ９５０）。このとき、身体情報検知装置２００は、発光素子２１０及び受光素子２２０を用いて検知対象の一部領域に対するボリューム情報を検知することができる。
【００８６】
身体情報検知装置２００の動作モードが第１動作モード及び第２動作モードではないと判断された場合（Ｓ９４０−Ｎ）、身体情報検知装置２００は、動作モードを第３動作モードと判断し（Ｓ９６０）、発光素子２１０及びイメージセンサ２３０を用いて検知対象のボリューム情報を検知する（Ｓ９７０）。このとき、身体情報検知装置２００は、発光素子２１０及びイメージセンサ２３０を用いて検知対象の全領域に対するボリューム情報を検知することができる。
【００８７】
図８及び図９において説明したように、受光素子２２０及びイメージセンサ２３０のうちの１つを選択的に駆動させて反射光を獲得することで、検知対象のボリューム情報及び血流情報を同時に獲得することができるようになる。
【００８８】
一方、上述の実施形態においては、イメージセンサ２３０の検出した反射光の飽和度を用いて検知対象と発光素子２１０との間の距離を判断したが、それは一実施形態に過ぎず、身体情報検知装置は、他の方法で検知対象と発光素子２１０との間の距離を判断することができる。
【００８９】
具体的に、身体情報検知装置は、図１０に示すように、発光素子１０１０、受光素子１０２０、イメージセンサ１０３０、制御部１４０及び別途の距離情報獲得部１０５０を含むことができる。このとき、発光素子１０１０、受光素子１０２０及びイメージセンサ１０３０に対する説明は、図１を参照して説明した発光素子１１０、受光素子１２０及びイメージセンサ１３０と同一であるため、繰り返し説明は省略する。
【００９０】
距離情報獲得部１０５０は、発光素子１０１０と検知対象との間の距離情報を獲得する。具体的に、距離情報獲得部１０５０は、発光素子１０１０と検知対象との間の距離情報を獲得するためのセンサとして、超音波センサ等で実現されてよい。更に別の実施形態として、距離情報獲得部１０５０は、ユーザが直接入力した発光素子１０１０と検知対象との間の距離情報を獲得することができる。
【００９１】
制御部１０４０は、距離情報獲得部１０５０の獲得した検知対象と発光素子１０１０との間の距離に応じて、受光素子１２０及びイメージセンサ１０３のうち少なくとも１つを選択的に駆動させて反射光信号を獲得し、反射光信号を用いて検知対象のボリューム情報または検知対象の血流情報を検知することができる。
【００９２】
なお、本発明の一実施形態によると、身体情報検知装置１１００は、別途のディスプレイ部を具備せずに、図１１に示すように、外部のディスプレイ装置１１５０を用いて身体情報をディスプレイすることができる。
【００９３】
具体的に、身体情報検知装置１１００は、図２Ａないし図６Ｃを参照して説明したように、ボリューム情報または血流情報を検知することができる。そして、身体情報検知装置１１００は、有線通信方式または無線通信方式の通信部を用いて外部のディスプレイ装置１１５０で検知されたボリューム情報または血流情報を伝送することができる。ディスプレイ装置１１５０は、ボリューム情報または血流情報を用いて多様なＵＩを提供することができる。例えば、ディスプレイ装置１１５０は、図１２に示すように、検知対象の身体イメージＵＩ１２１０及び多様な身体情報を含む身体情報ＵＩ１２２０をディスプレイすることができる。
【００９４】
なお、本発明の一実施形態によると、身体情報検知装置１００は、ボリューム情報のうち身体イメージを用いてユーザのモーションを検知し、外部機器を制御することができる。具体的に、ホーム制御システム１３００は、身体情報検知装置２００、テレビ１３１０、エアコン１３２０、掃除機１３３０、照明器具１３４０、玄関ドア１３５０、洗濯機１３６０を含むことができる。このとき、ホーム制御システム１３００は、図１３に示す家庭内で使用する機器の他に別の機器も含むことができる。
【００９５】
身体情報検知装置２００は、発光素子２１０及び受光素子２２０を用いて検知対象の一部領域に対する身体イメージを獲得し、身体イメージを用いてユーザモーションを検知することができる。そして、身体情報検知装置２００は、検知されたユーザモーションを用いて制御命令を判断し、制御対象機器にユーザモーションに対応する制御命令を伝送することができる。
【００９６】
上述のように、身体情報検知装置２００は、発光素子２１０及び受光素子２２０を用いてユーザモーションを検知し、多様な制御対象機器を制御することができるようになる。例えば、身体情報検知装置２００は、検知されたユーザモーションを用いてテレビ１３１０の電源制御、音量制御、チャネル制御等のような多様な制御を行うことができる。なお、身体情報検知装置２００は、検知されたユーザモーションを用いてエアコン１３２０の電源制御、風力制御、風向制御等のような多様な制御を行うことができる。なお、身体情報検知装置２００は、検知されたユーザモーションを用いて掃除機１３３０の電源制御、吸引強度制御等のような多様な制御を行うことができる。なお、身体情報検知装置２００は、検知されたユーザモーションを用いて照明器具１３４０の電源制御、輝度制御等のような多様な制御を行うことができる。なお、身体情報検知装置２００は、検知されたユーザモーションを用いて玄関ドア１３５０の開閉制御を行うことができる。なお、身体情報検知装置２００は、検知されたユーザモーションを用いて洗濯機１３６０の電源制御、動作モード制御等のような多様な制御を行うことができる。一方、上述のような外部機器制御は一実施形態に過ぎず、ユーザモーションを用いて他の外部機器も制御することができる。
【００９７】
図１４は、本発明の一実施形態に係る身体情報検知装置２００がユーザモーションを検知して外部機器を制御する方法を説明するためのフローチャートである。
【００９８】
まず、身体情報検知装置２００は、発光素子２１０を介して光信号を発光する（Ｓ１４１０）。
【００９９】
そして、身体情報検知装置２００は、受光素子２２０及びイメージセンサ２３０のうちの１つを用いてユーザから反射された反射光を獲得する（Ｓ１４２０）。特に、身体情報検知装置２００は、ユーザ身体の一部領域に対するモーションを検知するために、受光素子２２０を用いて検知対象から反射された反射光を獲得することができる。
【０１００】
そして、身体情報検知装置２００は、ユーザの関節情報を獲得する（１４３０）。具体的に、身体情報検知装置２００は、獲得された反射光を用いて身体イメージを獲得することができる。そして、身体情報検知装置２００は、獲得された身体イメージを用いてユーザの関節領域を獲得することができる。
【０１０１】
そして、身体情報検知装置２００は、関節情報を用いてユーザモーションを認識する（Ｓ１４４０）。具体的に、身体情報検知装置２００は、複数の関節領域を連結する線（ｌｉｎｅ）を獲得することができる。そして、身体情報検知装置２００は、獲得された線の移動方向、長さの増減有無を用いてユーザモーションを認識することができる。
【０１０２】
そして、身体情報検知装置２００は、認識されたユーザモーションに対応する制御命令を外部機器に伝送する（Ｓ１４５０）。具体的に、身体情報検知装置２００は、ユーザモーション情報を用いて制御対象外部機器に対応する制御命令を生成し、生成された制御命令を制御対象外部機器に伝送することができる。
【０１０３】
以下では、図１５及び図１６を参照し、身体情報検知装置の検知した身体情報を外部のサーバに伝送してユーザに身体管理サービスを提供する実施形態について説明する。
【０１０４】
図１５に示すように、身体管理システムを提供するためのシステムは、身体情報検知装置２００及びサーバ１５００を含む。具体的に、身体情報検知装置２００は、上述のような方法で血流情報またはボリューム情報等のような多様な身体情報を獲得し、獲得された身体情報を外部のサーバ１５００に伝送することができる。
【０１０５】
外部のサーバ１５００は、受信された身体情報をデータベースに保存し、身体情報を分析することができる。身体情報の分析結果、ユーザの身体に異状の兆候が発見された場合、外部のサーバ１５００は身体情報検知装置２００に異状の兆候に対する情報を含む分析結果を再度伝送することができる。身体情報検知装置２００は、分析結果をディスプレイすることができ、ユーザは分析結果を確認して自分の健康状態を確認することができる。なお、サーバ１５００は、ユーザが頻繁に利用する病院の端末に身体情報の分析結果を伝送することができる。
【０１０６】
図１６は、本発明の一実施形態に係る身体情報検知装置２００の検知した身体情報を外部サーバに伝送し、ユーザに身体管理サービスを提供する方法を説明するためのシーケンス図である。
【０１０７】
まず、身体情報検知装置２００は、身体情報を獲得する（Ｓ１６１０）。具体的に、身体情報検知装置２００は、検知対象と発光素子２１０との間の距離に応じて、受光素子２２０及びイメージセンサ２３０のうち少なくとも１つを選択的に駆動させて反射光信号を獲得し、反射光信号を用いて検知対象のボリューム情報または検知対象の血流情報を獲得することができる。
【０１０８】
そして、身体情報検知装置２００は、獲得された身体情報をサーバ１５００に伝送する（Ｓ１６２０）。
【０１０９】
サーバ１５００は、受信された身体情報を分析する（Ｓ１６３０）。このとき、サーバ１５００は、身体情報を用いてユーザの身体の異状の兆候を分析することができる。具体的に、サーバ１５００は、血流情報を用いてユーザの心臓及び血管に対する異状の兆候を分析することができ、デプス情報を用いてユーザの急激な身体の変化に対する異状の兆候を分析することができる。
【０１１０】
そして、サーバ１５００は、分析結果をそれぞれ身体情報検知装置２００及び病院端末１６００に伝送する（Ｓ１６４０、Ｓ１６５０）。このとき、サーバ１５００は、周期的に分析結果を身体情報検知装置２００及び病院端末１６００に伝送することができるが、それは一実施形態に過ぎず、異状の兆候が検知された場合、分析結果を身体情報検知装置２００及び病院端末１６００に伝送することができる。
【０１１１】
そして、身体情報検知装置２００は、受信された分析結果をディスプレイする（Ｓ１６６０）。
【０１１２】
上述のように、外部のサーバ１５００が身体情報を分析し、分析結果をユーザに提供することで、ユーザは体系的かつ専門的な健康管理サービスを受けることができるようになる。
【０１１３】
一方、上述の多様な実施形態に係る身体情報検知方法は、プログラムで実現されてディスプレイ装置または入力装置に提供されてよい。特に、ディスプレイ装置の制御方法を含むプログラムは、非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されて提供されてよい。
【０１１４】
非一時的な読み取り可能な媒体とは、レジスタやキャッシュ、メモリ等のように短い間だけデータを保存する媒体ではなく、半永久的にデータを保存し、機器によって読み取り（ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１１５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１１６】
１００、２００、１１００  身体情報検知装置
１１０、２１０、１０１０  発光素子
１２０，２２０、１０２０  受光素子
１３０、２３０、１０３０  イメージセンサ
１４０、２４０、１０４０  制御部
２５０  透明ディスプレイ
２６０  通信部
２７０  保存部
１０５０  距離情報獲得部
１１５０  ディスプレイ装置
１２１０  身体イメージＵＩ
１２２０  身体情報ＵＩ
１３００  ホーム制御システム
１３１０  テレビ
１３２０  エアコン
１３３０  掃除機
１３４０  照明器具
１３５０  玄関ドア
１３６０  洗濯機
１５００  サーバ
１６００  病院端末
【図１】
2015157074.tif 000003
【図２Ａ】
2015157074.tif 000004
【図２Ｂ】
2015157074.tif 000005
【図２Ｃ】
2015157074.tif 000006
【図３】
2015157074.tif 000007
【図４】
2015157074.tif 000008
【図５】
2015157074.tif 000009
【図６Ａ】
2015157074.tif 000010
【図６Ｂ】
2015157074.tif 000011
【図６Ｃ】
2015157074.tif 000012
【図７Ａ】
2015157074.tif 000013
【図７Ｂ】
2015157074.tif 000014
【図８】
2015157074.tif 000015
【図９】
2015157074.tif 000016
【図１０】
2015157074.tif 000017
【図１１】
2015157074.tif 000018
【図１２】
2015157074.tif 000019
【図１３】
2015157074.tif 000020
【図１４】
2015157074.tif 000021
【図１５】
2015157074.tif 000022
【図１６】
2015157074.tif 000023